(57)【要約】【課題】下部プレート、４つの側面プレート、およびワイヤプレートを含むワイヤ収集箱を提供すること。【解決手段】ワイヤ収集箱であって、下部プレートと、４つの側面プレートであって、４つの側面プレートの各々が、下部プレートに結合されるその側部を有し、４つの側面プレートの少なくとも１つが各ワイヤ通路に上部開口を備える複数の縦型ワイヤ通路を有する、４つの側面プレートと、下部プレートに配設され、外部電力を取り入れる拡張レセプタクルを提供し、少なくとも１組のアウトレットを有し、複数の収容部品が取り付けられるワイヤプレートであって、複数の収容部品が、収容部品の１つに配置してワイヤ収容グループに巻き付け、電力供給または信号伝送用ワイヤ通路の１つを通過させるワイヤのための少なくとも１つのワイヤ収容グループを形成するワイヤプレートと、を含む。【選択図】　図１
0003098632.tif 000002
【実用新案登録請求の範囲】
【請求項１】
ワイヤ収集箱であって、
下部プレートと、
４つの側面プレートであって、４つの側面プレートの各々が、下部プレートに結合されるその側部を有し、４つの側面プレートの少なくとも１つが各ワイヤ通路に上部開口を備える複数の縦型ワイヤ通路を有する、４つの側面プレートと、下部プレートに配設され、外部電力を取り入れる拡張レセプタクルを提供し、少なくとも１組のアウトレットを有し、複数の収容部品が取り付けられるワイヤプレートであって、複数の収容部品が、収容部品の１つに配置してワイヤ収容グループに巻き付け、電力供給または信号伝送用ワイヤ通路の１つを通過させるワイヤのための少なくとも１つのワイヤ収容グループを形成するワイヤプレートと、
を含むワイヤ収集箱。
【請求項２】
各ワイヤ通路に、中心の裂け目を備える遮蔽シートを取り付けることを特徴とする請求項１に記載のワイヤ収集箱。
【請求項３】
各ワイヤ通路が、拡大した円形下部末端を備える縦形またはＬ形であることを特徴とする請求項１に記載のワイヤ収集箱。
【請求項４】
覆いとして上部蓋を追加できることを特徴とする請求項１に記載のワイヤ収集箱。
【請求項５】
側面プレートが、軸回転するように下部プレートに蝶番式に取り付けられることを特徴とする請求項１に記載のワイヤ収集箱。
【請求項６】
下部プレートまたは側面プレートの１つに、外方向に露出して外部から操作されるスイッチのためのスイッチ孔を提供することができることを特徴とする請求項１に記載のワイヤ収集箱。
【請求項７】
下部プレートおよびワイヤプレートに、空気孔を提供することができることを特徴とする請求項１に記載のワイヤ収集箱。
【請求項８】
ワイヤ収容部品が、ワイヤホルダーであり、その頂部がラッパ形状をした、一体的に曲げた金属ストリップまたは高分子ストリップから作られることを特徴とする請求項１に記載のワイヤ収集箱。
【請求項９】
ワイヤ収容部品が階段状ワイヤスプールディスクであり、各階段状ワイヤスプールディスクにはその異なる階段部に異なるワイヤを巻き付けることができることを特徴とする請求項１に記載のワイヤ収集箱。
【請求項１０】
箱を外部からクランプするために固定具を加えることができることを特徴とする請求項１に記載のワイヤ収集箱。
【考案の詳細な説明】
【０００１】
【考案の属する技術分野】
本考案は、ワイヤ収集箱に関し、詳細には、収集された電線を収容して電線が乱雑に散乱するのを回避することができる電線箱に関する。
【０００２】
【従来の技術】
電力は我々の日常生活で常に使用されており、電気製品が多数開発されればされるほど、多くの電力が必要となる。実際に、周辺機器を備えるパーソナルコンピュータが開発されてきたので、電力の取り入れまたは信号伝送の機会が増加している。無論、パーソナルコンピュータ以外にも、オフィス装置および家庭電気器具による電力の消費の機会がある。
【０００３】
したがって、会社の中で電力の使用が増加するに伴い、電力または信号を伝送する電線の必要性が大きくなる。通常、家屋またはビルディングに装備されるアウトレットは実際の要求には不十分なので、拡張レセプタクルを使用することが必要であり、各レセプタクルの方式は単一入力複数出力となっている。即ち、電気製品のプラグを挿入するためのアウトレットが多数ある。一例としてパーソナルコンピュータシステムを取り上げると、拡張レセプタクルは、メインユニット、プリンタ、マウス、スキャナ、モデム、キーボード、スピーカー、モニタなどのプラグを挿入し、それぞれ周辺機器部に追加してコンピュータから電力または信号を受け取るために使用されることが極めて多い。多くの場合、プラグを備える電線および信号線はこのような接続を行うことを要求されている。さらに、前述の例以外にも台所の電気器具はワイヤ接続を必要とする。
【０００４】
さらに、前述のような電力および信号接続は、しばしば連続して挿入されたままになるので、電力および信号接続の領域のワイヤが混乱して散乱し乱雑な場所となる。さらに、ユーザまたは修理者が正しいワイヤと正しいプラグを探し、電気装置のメンテナンスまたは修理を行うとき困惑することになる。
【０００５】
【考案が解決しようとする課題】
本考案の目的は、下部プレート、４つの側面プレート、およびワイヤプレートを含むワイヤ収集箱を提供することである。
【０００６】
【課題を解決するための手段】
前記目的を達成するため、本考案のワイヤ収集箱は、
４つの側面プレートは下部プレートに結合されるその一側部を有し、少なくとも１つの側面プレートが複数の縦型のワイヤ通路を有し、各ワイヤ通路に上部開口を備える。ワイヤプレートは下部プレート上に配設され、外部電力を取り入れる拡張レセプタクルを提供する。拡張レセプタクルは少なくとも１組のアウトレットを有する。さらに、ワイヤプレートには複数のワイヤ収容部品が取り付けられており、収容部品の１つに配置してワイヤ収容グループの周囲に巻き付け、電力供給または信号伝送用のワイヤ通路の１つを通過させるワイヤのための少なくとも１つのワイヤ収容グループを形成することからなる。
又、各ワイヤ通路に、中心の裂け目を備える遮蔽シートを取り付けることが好適である。
又、各ワイヤ通路が、拡大した円形下部末端を備える縦形またはＬ形であることが好適である。
又、覆いとして上部蓋を追加できることが好適である。
又、側面プレートが、軸回転するように下部プレートに蝶番式に取り付けられることが好適である。
又、下部プレートまたは側面プレートの１つに、外方向に露出して外部から操作されるスイッチのためのスイッチ孔を提供することができることが好適である。
又、下部プレートおよびワイヤプレートに、空気孔を提供することができることが好適である。
又、ワイヤ収容部品が、ワイヤホルダーであり、その頂部がラッパ形状をした、一体的に曲げた金属ストリップまたは高分子ストリップから作られることが好適である。
又、ワイヤ収容部品が階段状ワイヤスプールディスクであり、各階段状ワイヤスプールディスクにはその異なる階段部に異なるワイヤを巻き付けることができることが好適である。
さらに、箱を外部からクランプするために固定具を加えることができることが好適である。
【０００７】
【考案の実施の形態】
本考案は以下の説明および添付の図面を参照することにより、より完全に理解することができる。
【０００８】
図１〜６を参照すれば、本考案のワイヤ収集箱は、基本的に下部プレート１、４つの側面プレート２およびワイヤプレート４を含む箱である。さらに、上部蓋３（図示せず）および固定具５を任意選択的に含むことができる。
【０００９】
ここで、下部プレート１は外部領域への取り付け、あるいはワイヤプレート４を固定して取り付けるために平坦であり、複数の貫通孔１１がそこに配置されている。外部に配設された電力スイッチを通過させるために下部プレート１にはスイッチ開口１２が提供される。上部蓋が提供される場合にはスイッチ開口１２を有する必要はない。加えて、冷却効果を高めるために、熱拡散孔または溝をパンチ加工することができる。熱拡散孔または溝は知られた技術であるので、さらに詳細の説明はしない。
【００１０】
側面プレート２は箱の周囲を取り囲み、少なくとも１つの側面プレート２にはワイヤの入り口または出口として少なくとも１つのワイヤ通路２１が提供される。２つの側面プレート２は、それぞれ外部電源線または信号入力線のための入り口、および電気装置に接続される出力線または出力信号線のための出口としてワイヤ通路２１を備えることが好ましい。側面プレート２は下部プレート１に固定して取り付けることができ、あるいは上部蓋３に軸回転する蝶番式に取り付けることができる。しかし、これらは従来技術に属するものであるので、詳細をさらに説明することはしない。ワイヤ通路２１は、２つ以上のワイヤが円形末端に受容されるように、図４に示すような拡大させた下部円形末端を備える縦型の溝である。電力線を隠し保護するために、縦溝に沿った中心の裂け目および円形末端の中心に十字形の裂け目を備える遮蔽シート２２を接着、挿入などによって加えることができる。
【００１１】
上部蓋３はそのサイズが下部プレート１と等しく、箱を覆う。箱が上向きに取り付けられる場合には上部蓋３は省略できる。
【００１２】
ワイヤプレート４には図３に示すように拡張レセプタクル４１が固定して取り付けられており、拡張レセプタクルはスイッチ４１２を備える少なくとも１つのアウトレット４１１を有する。スイッチ４１２はワイヤ通路２を通してリード線で外部電源に接続することができる。電線を収容し配置するために、ワイヤホルダー４２などの複数の収容部品がワイヤプレート４に直立して配置され、各ワイヤが混乱なく特定の領域に巻き付けられるように、或るワイヤホルダー４２は、正方形領域、円形領域、長方形領域などの異なるワイヤ巻き付け領域の形状およびサイズを特定することができる。各ワイヤホルダー４２は図２に示すようなラッパ状の頂部を有する折り曲げストリップとして製作できる。別法として、各収容部品は図８に示すような階段状ワイヤスプールディスクとすることもできる。階段状ワイヤスプールは機能上ワイヤホルダーと同等であるので、詳細をさらに説明することはしない。
【００１３】
固定具５は本考案のワイヤ収集箱をテーブルトップなどの外部物体にクランプするために使用されるが、ワイヤ収集箱が上述のように壁に取り付けられる場合には固定具５を使用する必要はない。固定具５は、テーブルトップを挿入するための、スペーシング５１を備える一体的に折り曲げたプレートであり、固定具５には螺子５３が通過してテーブルトップに固定する貫通孔５２が提供される。固定具５は異なる状況に適合するようにＬ形または逆Ｌ形に作ることができる。これは従来技術に属することなので、詳細はさらに説明しない。
【００１４】
図７を参照すれば、外部ワイヤＡがワイヤ収集箱の中に入り、拡張レセプタクル４１はスイッチ４１２を制御することによってオンオフすることができる。外部と接続するためにアウトレット４１１に挿入するときには、ワイヤを通過させるワイヤホルダー４２を選択し、次いでワイヤが通過するワイヤホルダー４２を含むワイヤホルダーグループの周囲にワイヤを巻き付ける。最終的にワイヤはグループ中のワイヤホルダーの１つを通過し、ワイヤ通路を経由して外部へ延びる。このようにして、ワイヤの過剰な部分は、ワイヤがコンピュータなどの外部装置に電力を提供するために外部に接続されている間、適切に収集され配置される。したがってアウトレット４１１の全てに電線が挿入される場合、全ての電線を同様に混乱なく整然と配置することができる。前に述べたことは本考案の収集箱を使用する一例に過ぎず、ワイヤホルダーとは異なる他の収容部品も同様に同等の機能を達成することができる。
【００１５】
ワイヤ収集箱をオフィスに固定する場合、固定具５はワイヤ収集箱を確実にクランプするのに非常に適している。図１に示した実施形態はワイヤ通路２１を備えるその４つの側面プレート２の全てを有しているので、出て行くワイヤを多くの異なる方角に向けて導くことができる。
【００１６】
拡張レセプタクル４１のスイッチ４１２は、設計したレイアウトに応じて、下部プレート１のスイッチ開口１２を経由して露出して配置することができ、あるいはワイヤ収集箱の内部に配設することができる。
【００１７】
本考案によるワイヤ収集箱は、箱内のワイヤを規則正しく収集し、箱内のワイヤを限られた箱内の空間にも拘わらず整然と巻き付けることができることが認識される。したがって、従来の方法のようにワイヤが散乱し乱雑になることを防止し、配置されないワイヤに起因する不安全な現象を回避することができる。
【００１８】
本考案をその好ましい実施形態を参照して説明したが、付随の請求項に規定する本考案の精神から逸脱することなく修正または変更が容易に加えられることを理解すべきである。
【図面の簡単な説明】
【図１】本考案のワイヤ収集箱の透視図である。
【図２】図１に示したワイヤ収集箱内のワイヤホルダーの透視図である。
【図３】本考案のワイヤ収集箱内の全てのワイヤホルダーの配置を示す平面図である。
【図４】図１に示したワイヤ収集箱上のワイヤアウトレットを示す透視図である。
【図５】本考案のワイヤ収集箱の固定具を示す断面図である。
【図６】固定具の他の実施形態の断面図である。
【図７】ワイヤ収集箱内の巻き付けたワイヤを示す透視図である。
【図８】巻き付けディスクの平面図である。
【図９】巻き付けディスクの正面図である。
【符号の説明】
１　下部プレート
２　側面プレート
３　上部蓋
４　ワイヤプレート
５　固定具
１１　貫通孔
１２　スイッチ開口
【図１】
0003098632.tif 000003
【図２】
0003098632.tif 000004
【図３】
0003098632.tif 000005
【図４】
0003098632.tif 000006
【図５】
0003098632.tif 000007
【図６】
0003098632.tif 000008
【図７】
0003098632.tif 000009
【図８】
0003098632.tif 000010
【図９】
0003098632.tif 000011